(57)【要約】      （修正有）【課題】造形記録媒体に係り、特に、アーティストに対して与えられたマルチメディア作品をユーザに提供するための造形記録媒体に関し、機能性、及び、商品価値を向上させることができる造形記録媒体を提供する。【解決手段】造形記録媒体であり、マルチメディア情報を記憶するメモリと、メモリからマルチメディア情報を読み出し、処理する処理部と、少なくともメモリ及び処理部を内蔵し、外観が特定の対象を造形した形状である筐体とを有する。【選択図】図１
0003139130.tif 000002
【実用新案登録請求の範囲】
【請求項１】
マルチメディア情報を記憶するメモリと、
前記メモリから前記マルチメディア情報を読み出し、処理する処理部と、
少なくとも前記メモリ及び前記処理部を内蔵し、外観が特定の対象を造形した形状である筐体とを有する造形記録媒体。
【請求項２】
前記特定の対象は、アーティストであり、
前記メモリに記憶される前記マルチメディア情報は、前記アーティストに与えられた作品の国際標準レコーディングコードを含む請求項１記載の造形記録媒体。
【請求項３】
前記特定の対象は、マルチメディア作品であり、
前記メモリに記憶される前記マルチメディア情報は、前記マルチメディア作品の国際標準図書番号を含む請求項１記載の造形記録媒体。
【請求項４】
前記特定の対象は、作品であり、
前記メモリに記憶される前記マルチメディア情報は、前記作品の国際標準視聴覚資料番号を含む請求項１記載の造形記録媒体。
【請求項５】
前記処理部により読み出されたマルチメディア情報を再生する再生ユニットと、
前記再生ユニットを操作する操作手段とを有する請求項１乃至４のいずれか一項記載の造形記録媒体。
【請求項６】
外部メディアと通信を行い、外部メディアから前記マルチメディア情報をダウンロードするダウンロードモジュールを有し、
前記処理部は、前記ダウンロードモジュールによりダウンロードされたデータを前記メモリに保存する請求項１乃至５のいずれか一項記載の造形記録媒体。
【考案の詳細な説明】
【技術分野】
【０００１】
本考案は、造形記録媒体に係り、特に、アーティストに対して与えられたマルチメディア作品をユーザに提供するための造形記録媒体に関する。
【背景技術】
【０００２】
音楽、映像、出版物等の芸術作品は、人間の生活にとって欠かせないものである。これらの芸術作品は記録媒体に記録されて、人々に提供されている。
【０００３】
記録媒体は、記録された作品をマスコミに広げると同時に、記録された作品の知的財産権を保護して、産業収益を維持する必要があることから、各時代の技術的背景に合わせ、その形態も変わってきている。例えば、音楽に関して言えば、記録媒体は、アナログディスクからテープレコーダ、そしてＣＤへと変遷している。
【０００４】
また、昨今は、デジタル時代であり、音楽はデジタル情報の形式でディスクやＩＣなどに記録されたり、ネットワークを介して配信されたりするようになっている。また、デジタル情報の形式もＣＤへの記録方式の他に、ＭＰ３、ＡＡＣ、ＷＭＡ、ＭＰ４、ＪＰＧ、ＡＶＩ等などの各種音声圧縮技術によって作成されている。ＩＣレコーダなどのデジタル再生装置は、デジタル情報からなる音声ファイルをメモリに記憶して、再生するものであり、幅広く使用されようになってきている。また、インターネットによるマルチメディアコンテンツのアップロードや、ダウンロードが盛んになってきている。
【０００５】
例えば、国際市場に大手コンピュータ会社のアップル株式会社のヒット商品ｉＰｏｄ（商標）を一例とすれば、この商品の２００７年第二季公告されたグローバル総出荷量は９８１．５万台であり、この数字からみると、世界中の消費トレンドはこのような再生媒介の音楽、ビデオ情報を使用し、音楽情報の提供形態はＣＤ、ＤＶＤからＩＣレコーダ再生装置などへ変遷している。
【０００６】
しかし、デジタル情報は、品質を劣化させることなく、高速にコピーできるため、知的財産権の保護管理が重要なファクターである。
【０００７】
例えば、インターネットなどを介して知的財産権を無視してコピーが行われると、アーティストだけでなく全体的な芸術文化産業に対して損害を与えることになる。このような不正なコピーは、さらに、イノベーションと時代進歩を妨げることになる。
【０００８】
従って、有料のデジタル化芸術文化作品情報フォーマットのダウンロード組織及び公的組織とデジタル化著作権保護組織が成立している。例えば、国際標準レコーディングコード（Ｉｎｔｅｒｎａｔｉｏｎａｌ  Ｓｔａｎｄａｒｄ  Ｒｅｃｏｒｄｉｎｇ  Ｃｏｄｅ；  ＩＳＲＣ）、国際標準図書番号（Ｉｎｔｅｒｎａｔｉｏｎａｌ  Ｓｔａｎｄａｒｄ  Ｂｏｏｋ  Ｎｕｍｂｅｒ；  ＩＳＢＮ）、国際標準視聴覚資料番号（Ｉｎｔｅｒｎａｔｉｏｎａｌ  Ｓｔａｎｄａｒｄ  Ａｕｄｉｏｖｉｓｕａｌ  Ｎｕｍｂｅｒ；  ＩＳＡＮ）などである。国際標準レコーディングコードは、音楽創作の著作権の保護管理を行うものである。また、国際標準図書番号は、出版物や多くの歌曲をまとめたアルバムなどの著作権の保護管理に対応している。さらに、国際標準視聴覚資料番号は、ＡＶコンテンツの著作権の保護管理に対応している。これらの国際標準規格により音楽アルバムまたはビデオやテレビゲームなどの著作権管理を便利で、かつ、強固に行えるようになる。
【０００９】
一方、玩具の形の模型も流行っている。例えば、フィギュアなどは、近年、発展しますます盛んになっている。消費者はその面白い外型に引かれ、フィギュアを趣味として蒐集することもある。
【考案の開示】
【考案が解決しようとする課題】
【００１０】
本考案は、機能性及び商品価値を向上させることができる造形記録媒体を提供することを目的とする。
【課題を解決するための手段】
【００１１】
本考案は、造形記録媒体であり、マルチメディア情報を記憶するメモリと、メモリからマルチメディア情報を読み出し、処理する処理部と、少なくともメモリ及び処理部を内蔵し、外観が特定の対象を造形した形状である筐体とを有することを特徴とする。
【００１２】
また、特定の対象はアーティストであり、メモリに記憶されるマルチメディア情報はアーティストに対して与えられた作品の国際標準レコーディングコードを含むことを特徴とする。また、特定の対象はマルチメディア作品であり、メモリに記憶されるマルチメディア情報は、マルチメディア作品の国際標準図書番号を含むことを特徴とする。さらに、特定の対象はマルチメディア作品であり、メモリに記憶されるマルチメディア情報は、マルチメディア作品の国際標準視聴覚資料番号を含むことを特徴とする。
【００１３】
更に、本発明は、処理部により読み出されたマルチメディア情報を再生する再生ユニットと、再生ユニットを操作する操作手段とを有することを特徴とする。
【００１４】
更に、本発明は、外部メディアと通信を行い、外部メディアからマルチメディア情報をダウンロードするダウンロードモジュールを更に有し、処理部はダウンロードモジュールによりダウンロードされたマルチメディア情報をメモリに保存することを特徴とする。
【考案の効果】
【００１５】
本考案によれば、マルチメディア情報を記憶するメモリと、メモリからマルチメディア情報を読み出し、処理する処理部と、少なくともメモリ及び処理部を内蔵し、外観が特定の対象を造形した形状である筐体とから造形記録媒体を構成することにより、筐体の造形により商品価値を向上させることができ、造形記録媒体でマルチメディア情報を処理再生することにより、機能性を向上させることができる。
【考案を実施するための最良の形態】
【００１６】
図１は本考案の記録媒体の一実施例の外観図、図２は本考案の記録媒体の一実施例のブロック構成図を示す。
【００１７】
本考案の記録媒体３０は、筐体３２、メモリ３４、再生ユニット３６を含む構成とされており、造形アルバムメディアと呼ぶ。
【００１８】
筐体３２は、外観が特定の対象を造形して製作されたものであり、例えば、フィギュアなどの形状である。
【００１９】
メモリ３４は、少なくとも一つのマルチメディア情報３４１０、例えば、音楽情報を保存する。なお、マルチメディア情報３４１０は、例えば、特定の対象に対して与えられた作品、音楽、映像などのデータが対応しており、ＭＰ３、ＡＡＣ、ＷＭＡ、ＭＰ４、ＪＰＧ、ＡＶＩ等のフォーマットでメモリ３４に保存される。
【００２０】
特定な対象としては、例えば、芸術文化のアーティスト、アニメーション、劇画の主人公などのマルチメディア形象芸能人、または、作品自体などがある。
【００２１】
マルチメディア情報には、国際標準レコーディングコード、国際標準図書番号、国際標準視聴覚資料番号などが含まれる。
【００２２】
なお、マルチメディア情報３４１０に含まれる国際標準レコーディングコード（Ｉｎｔｅｒｎａｔｉｏｎａｌ  Ｓｔａｎｄａｒｄ  Ｒｅｃｏｒｄｉｎｇ  Ｃｏｄｅ；  ＩＳＲＣ）は、国際規格として定められた音源のコード呼称を指しており、音源（原盤）毎に付与される。また、国際標準図書番号（Ｉｎｔｅｒｎａｔｉｏｎａｌ  Ｓｔａｎｄａｒｄ  Ｂｏｏｋ  Ｎｕｍｂｅｒ；ＩＳＢＮ）は、世界共通で図書（書籍）を特定するための番号であり、書籍、ＣＤ−ＲＯＭ、カセットテープ、マイクロフィルムなど出版社から出版される出版物に付与される。さらに、国際標準視聴覚資料番号（Ｉｎｔｅｒｎａｔｉｏｎａｌ  Ｓｔａｎｄａｒｄ  Ａｕｄｉｏｖｉｓｕａｌ  Ｎｕｍｂｅｒ；  ＩＳＡＮ）は、ＡＶコンテンツの国際標準規格であり、視聴覚作品毎に付与される。
【００２３】
これらの国際標準コードによって、メモリ３４に保存されるマルチメディア情報３４１０の特定が可能となり、知的財産権の保護管理を行える。
【００２４】
再生ユニット３６は、再生アプリケーションプログラムを含み、この再生アプリケーションプログラムによってメモリ３４からマルチメディア情報を読み出し、処理を行い、マルチメディア情報に含まれる音声・画像などの再生を行う。
【００２５】
また、本実施例の記録媒体３０に、イヤホンソケットコネクタや、ブルートゥースのような短距離無線通信モジュール、または、スピーカ等を設けることにより、異なるハードウェアの手段でメモリ３４に保存されたマルチメディア情報を再生することができる。
【００２６】
本実施例の記録媒体３０によれば、造形により商品性を向上させることができるとともに、国際標準規格を用いて保存されたマルチメディア情報の知的財産権保護、管理を行え、更に、音楽やビデオ、文字、画像などの再生までも可能となる。
【００２７】
以下に、本考案の実施例を、図面を用いて更に詳細に説明する。
【００２８】
筐体３２は、前述のように外観が特定の対象を造形して製作されたものであり、例えば、フィギュアなどの形状に形成されており、メモリ３４には、少なくとも一つのマルチメディア情報３４１０が保存されており、マルチメディア情報３４１０は上記特定な対象に与えられた作品である。
【００２９】
上記特定な対象は、例えば、芸術文化の出演者、例えば、歌手やアーティストなどの形態、アニメの登場人物等のマルチメディア形象芸能人またはアルバム概念属性形象である。なお、マルチメディア形象芸能人としての特定の対象は、歌手、演奏家等の音楽家などを含むがこれらに限定されるものではない。
【００３０】
また、アルバム概念属性形象としての特定の対象は、音楽アルバムであり、音楽アルバムのコンセプトなどを暗示される形態に造形された形象である。また、アルバム概念属性形象としての特定の対象は、例えば、映画や、アニメ、テレビゲーム、インターネット上での作品などのテーマ、または、登場人物を造形化した形象である。
【００３１】
マルチメディア情報３４１０は、上記特定な形象に対応したデータであり、上述の国際標準レコーディングコード、あるいは、国際標準図書番号、あるいは、国際標準視聴覚資料番号などの著作権を管理するためのデータを含む。
【００３２】
さらに、どの歌曲に対しても一つの国際標準レコーディングコードが付与され、国際標準レコーディングコードにより特定の歌曲を特定できる。国際標準レコーディングコードは１２個の英語アルファベットまたは数字から構成され、また、国別コード、登録者コード、録音年代、録音コードなど四つの部分からなり、これにより歌曲の著作権を有効に管理することができる。
【００３３】
また、国際標準図書番号は１３個の英文アルファベットまたは数字で構成され、グループ識別号、出版者識別号、書名識別号、検査番号など四つの部分からなり、これによりアルバムの著作権を有効に管理することができる。
【００３４】
さらに、国際標準視聴覚資料番号は、９６位数（二進位）で構成され、９６ピクセルの正方形バーコードで表すことができる。国際標準視聴覚資料番号、ＡＶコンテンツの著作権管理を行うことができる。
【００３５】
これらの国際標準規格のコードをマルチメディア情報に付与することによって、著作権管理を容易、かつ、確実に行えるようになる。
【００３６】
例えば、音楽アルバムの場合、筐体３２の外観は、例えば、歌手や演奏家とされ、マルチメディア情報２４１０として音楽情報がメモリ３４に保存される。また、映画音楽の場合、筐体３２の外観を映画の主人公のフィギュアとして、マルチメディア情報２４１０として映画の挿入音楽や映画の主人公の映像、画像などをメモリ３４に保存する。
【００３７】
更に、筐体３２について説明する。
【００３８】
筐体３２には、更に、再生機能キー３２０２と表示装置３２０４が設けられている。再生機能キー３２０２は再生ユニット３６を操作し、再生マルチメディア情報３４１０を再生したり中止したりするために設けられる。再生機能キー３２０２は筐体３２に設けられ、上記特定な形象の独立物件に属するものである。
【００３９】
図１において特定な対象は、特定の歌手であり、筐体３２をこの歌手のフィギュアとし、頭部は、胴体に対して回転可能とされており、頭を回転することにより、スイッチがオンオフする。これにより、頭を加点させることにより、再生機能キー３２０２が操作されて、再生を開始したり、再生を中止したりすることができる。
【００４０】
表示装置３２０４は、筐体３２のユーザが視認し易い適当な位置に設けられ、マルチメディア情報３４１０に関する情報を表示するとともに、使用中の操作機能も表示する。例えば、図１において表示３２０４は、サーフィンの表面に設けられている。
【００４１】
なお、再生ユニット３６は、ソフトウェアである再生アプリケーションプログラム３６０２を実行するためのハードウェアであるマイクロプロセッサを含んでいる。
【００４２】
図３は本考案の一実施例の第１変形例の外観図、図４は本考案の一実施例の第２変形例の外観図、図５は本考案の一実施例の第３変形例の外観図を示す。
【００４３】
例えば、図３に示すように、筐体３２にイヤホンホール３６０４を設け、イヤホンホール３６０４にイヤホン５０を接続して、イヤホン５０によりメモリ３４に保存されたマルチメディア情報を聴取するようにしてもよい。なお、イヤホンホール３６０４は、筐体３２の内部で再生ユニット３６に接続されており、再生ユニット３６で再生された音声信号が供給される。
【００４４】
さらに、図４に示すように、ブルートゥースのような短距離無線通信モジュール３６０６を設け、短距離無線通信モジュール３６０６からワイヤレスイヤホン５２に音声情報を送信して、ワイヤレスイヤホン５２によりメモリ３４に保存されたマルチメディア情報を聴取するようにしてもよい。
【００４５】
なお、短距離無線通信モジュール３６０６とワイヤレスイヤホン５２との通信には、ブルートゥースまたはＩＥＥＥ  ８０２．１１短距離無線通信が考えられる。
【００４６】
また、図５に示すように筐体３２にスピーカ３６０８を設け、再生ユニット３６で再生された音楽をスピーカ３６０８から出力するようにしてもよい。
【００４７】
さらに、図２に示すように記録媒体３０にダウンロードモジュール３８を含め、外部からマルチメディア情報を取得するようにしてもよい。ダウンロードモジュール３８は記録媒体３０の外部にあるマルチメディア情報３４２０を外部装置からダウンロードし、メモリ３４に保存する。
【００４８】
ダウンロードモジュール３８はケーブルダウンロードであってもワイヤレスダウンロードであって、また、その両方を含む構成であってもよい。また、ダウンロードモジュール３８は短距離無線通信モジュール３６０６であることが好ましい。さらに、もし、再生用のハードウェアがワイヤレスイヤホン５２であれば、上記短距離無線通信モジュール３６０６をワイヤレスイヤホン５２との通信にも用いることができる。
【００４９】
ダウンロードモジュール３８は、外部からマルチメディア情報３４１０をダウンロードする。メモリ３４は更に、リードオンリーメモリ（ＲＯＭ）３４０２及びフラッシュメモリ３４０４を含む構成としてもよい。
【００５０】
このような構成においては、上記特定な対象に対応するマルチメディア情報３４１０は、リードオンリーメモリ３４０２に保存する。これによって、特定の対象に対応するマルチメディア情報３４１０が削除されることはない。なお、これはオリジナル著作権（国際標準録音コード、国際標準書号、または視聴デジタル国際標準コード）で保護されるものであり、商業上実務的には、記録媒体３０として販売すれば、海賊版を避けることもできる。
【００５１】
また、記録媒体３０の外部からダウンロードモジュール３８を用いてダウンロードしたマルチメディア情報３４２０はフラッシュメモリ３４０４に保存される。これにより、記録媒体３０に予め保存された特定の対象に対応するマルチメディア情報だけでなく、他のマルチメディア情報を保存することもでき、記録媒体３０の利便性を向上させることができる。
【００５２】
本実施例の記録媒体３０によれば、予めマルチメディア情報３４１０を保存することで、アーティストの一枚の音楽アルバムのように提供することができ、また、その外観は音楽アルバムを提供するアーティストの立体的な肖像とすることができるので、コレクションとしての価値がある。また、記録媒体３０は、再生機能を有する上に、著作権等の知的財産権の保護機能を強化できる。さらに、ＣＤ／ＤＶＤなどの記録媒体と同等、あるいは、それ以上の品質でマルチメディア情報を提供できる。
【００５３】
また、本実施例の記録媒体３０は、小型化が可能であり、電池を内蔵し、携帯して視聴する機能を設定することもできる。なお、電池は、一次電池でもいいし、二次電池でもよい。現在の実用技術により、電池を二次電池として、ＵＳＢコネクタによる充電手段を利用して、充電することができる。また、イヤホンホール３６０４に接続可能とされたＵＳＢコネクタを用いて、イヤホンホール３６０４を使って充電するようにしてもよい。
【００５４】
なお、上記の実施例は、本考案において好ましい実施例の具体的な態様を、図面を用いて説明した。しかしながら、本考案は上記実施例に限定されるものではなく、本考案の要旨を逸脱しない範囲において種々の変形例が考えられることは言うまでもない。
【図面の簡単な説明】
【００５５】
【図１】本考案の一実施例のブロック図である。
【図２】本考案の一実施例の外観図である。
【図３】本考案の一実施例の第１変形例の外観図である。
【図４】本考案の一実施例の第２変形例の外観図である。
【図５】本考案の一実施例の第３変形例の外観図である。
【符号の説明】
【００５６】
３０  記録媒体
３２  筐体、３２０２  再生機能キー、３２０４  表示装置
３４  メモリ、３４０２  リードオンリーメモリ、３４０４  フラッシュメモリ
３４１０、３４２０  マルチメディア情報
３６  再生ユニット
３６０４  イヤホンホール
３６０６  短距離無線通信モジュール
３６０８  スピーカ、３８  ダウンロードモジュール
５０  イヤホン
５２  ワイヤレスイヤホン
【図１】
0003139130.tif 000003
【図２】
0003139130.tif 000004
【図３】
0003139130.tif 000005
【図４】
0003139130.tif 000006
【図５】
0003139130.tif 000007